(57)【要約】【課題】被測定対象物が、水素を含有する気体に限定されず、多用な気体をセンシングすることが可能な、光ファイバ装置を提供する。【解決手段】本発明に係る光ファイバ装置は、導波体からなる光ファイバ形状のセンサ部１２と、前記センサ部の一端および他端と光学的に各々接続され、該センサ部の一端側および他端側に配された、コアとクラッドから構成される光ファイバＡ１１および光ファイバＢ１３と、を含む。前記センサ部を構成する導波体が、前記光ファイバＡおよび前記光ファイバＢのコアと同材質からなり、前記センサ部の径方向の寸法が、前記光ファイバＡのコアの寸法および前記光ファイバＢのコアの寸法よりも大きく、前記センサ部は、少なくとも外側面が、その全域に亘って吸着材１４により被覆されている。【選択図】図１
2017020946.tif 000002
【特許請求の範囲】
【請求項１】
導波体からなる光ファイバ形状のセンサ部と、前記センサ部の一端および他端と光学的に各々接続され、該センサ部の一端側および他端側に配された、コアとクラッドから構成される光ファイバＡおよび光ファイバＢと、を含む光ファイバ装置であって、
前記センサ部を構成する導波体が、前記光ファイバＡおよび前記光ファイバＢのコアと同材質からなり、
前記センサ部の径方向の寸法が、前記光ファイバＡのコアの寸法および前記光ファイバＢのコアの寸法よりも大きく、
前記センサ部は、少なくとも外側面が、その全域に亘って吸着材により被覆されている、ことを特徴とする光ファイバ装置。
【請求項２】
前記吸着材が、毛細管凝縮を促す多孔質体であることを特徴とする請求項１に記載の光ファイバ装置。
【請求項３】
前記吸着材が、シリカゲルから形成された被膜であることを特徴とする請求項１又は２に記載の光ファイバ装置。
【請求項４】
前記吸着材が、特定の波長の光に対して、光吸収作用を有することを特徴とする請求項１乃至３のいずれか一項に記載の光ファイバ装置。
【請求項５】
前記吸着材が、前記センサ部とともに、前記光ファイバＡおよび前記光ファイバＢの外側面も被覆していることを特徴とする請求項１乃至４のいずれか一項に記載の光ファイバ装置。
【請求項６】
請求項１乃至５のいずれか一項に記載の光ファイバ装置であって、
前記センサ部の一端に向けてレーザ光を導入するために前記光ファイバＡにレーザ光を入射させる発光手段と、
前記センサ部の他端から前記光ファイバＢを通して導出されたレーザ光を検知する受光手段と、
前記受光手段から出力された信号を解析する評価手段と、
を更に備えたことを特徴とする光ファイバ装置。
【請求項７】
請求項６に記載の光ファイバ装置であって、
前記評価手段が、前記センサ部の周囲が外部物質に曝された場合、前記受光手段から出力された信号である透過スペクトルの特定波長において、長波長側へのスペクトルシフト現象を瞬間的に観測するとともに、前記センサ部の周囲から外部物質が減少するにつれて、スペクトルの回復現象を観測することにより、外部物質の検知を行うことを特徴とする光ファイバ装置。
【請求項８】
請求項１乃至７のいずれか一項に記載の光ファイバ装置であって、
前記センサ部が、前記光ファイバＡ側から前記光ファイバＢ側に向けて、径方向の寸法を漸次拡大または漸次縮小させたテーパ状をなすように構成されていることを特徴とする光ファイバ装置。
【請求項９】
請求項１乃至７のいずれか一項に記載の光ファイバ装置であって、
前記センサ部が、前記光ファイバＡ側の端部の外周形状を前記光ファイバＡの端部の外周形状と一致させるとともに、前記光ファイバＢ側の端部の外周形状を前記光ファイバＢの端部の外周形状と一致させるように構成されていることを特徴とする光ファイバ装置。
【請求項１０】
請求項１乃至７のいずれか一項に記載の光ファイバ装置であって、
前記センサ部が、前記光ファイバＡ側の端部における径方向の寸法を、前記光ファイバＡの径寸法よりも大きくまたは小さく構成されていることを特徴とする光ファイバ装置。
【請求項１１】
請求項１乃至７のいずれか一項に記載の光ファイバ装置であって、
前記センサ部が、前記光ファイバＢ側の端部における径方向の寸法を、前記光ファイバＢの径寸法よりも大きくまたは小さく構成されていることを特徴とする光ファイバ装置。
【発明の詳細な説明】
【技術分野】
【０００１】
本発明は、被測定対象物が、水素を含有する気体に限定されず、多用な気体をセンシングすることが可能な光ファイバ装置に関する。
【背景技術】
【０００２】
従来、光ファイバをガスセンサとして利用した各種の光ファイバ装置が提案されている。以下では、提案されている２つの事例について説明する。
特許文献１の光ファイバガスセンサは、光ファイバのクラッドを除去してコアを露出させて形成したセンサ部を、発泡体で被覆した構造を有しており、この構造により機械的な強度を向上させている。
このような構造の光ファイバガスセンサで被測定対象物（ガス）を検知する際には、ガスは発泡体の連続気泡を通じてコアの周囲まで浸透してエバネッセント波部分の全反射条件を変化させ、光ファイバの導波光路を伝搬する光の一部は外部に漏れて光の強度が減衰するため光ファイバの透過率が変化し、この光ファイバの透過率の変化を計測してガスの検知が行われる。
しかしながら、センサ部を作製するためには、クラッドを除去してコアを露出させる加工が必須であり、発泡体で被覆する前に、コアの露出部は容易に破損する虞があった。ゆえに、特許文献１の光ファイバガスセンサを安定して作製することは困難であった。
【０００３】
特許文献２の光ファイバガスセンサは、ファイバコア並びにファイバコアの回りに配置された相異なる振幅変調プロファイルを有する第１及び第２の屈折率周期変調格子構造を含んでおり、第１及び第２の屈折率周期変調格子構造の回りにはファイバクラッディングが配置されている。さらに、ファイバクラッディングの回りにはＰｄ基合金からなる感知材料を含む感知層が設けられている。
このような構造により、特許文献２の光ファイバガスセンサは、感知材料中の水素化物がα相からβ相又はこれらの混合中間相への強い構造相転移を生じることにより、被覆感知材料の屈折率が変化し、基本モードとクラッディングモードとの間の光結合が変化する現象を利用することにより、被測定対象物（ガス）のセンシングを可能としている。
【０００４】
つまり、特許文献２の光ファイバガスセンサは、感知材料中の水素化によって構造層転移が起こり、そのことによる屈折率変化が最終的には，透過光または反射光量の変化に反映されることを動作原理としているため、被測定対象物は、水素を含有するようなものに限定され、感知材自体の構造相転移が必須である。また、特許文献２の光ファイバガスセンサは、極めて複雑な層構成（感知材自体の構造相転移が必須）を備えて、初めて被測定対象物のセンシングを可能とすることから、製造コストが嵩み、低コスト化という面においても課題を抱えていた。
【先行技術文献】
【特許文献】
【０００５】
【特許文献１】特開平４−２５８７４４号公報
【特許文献２】特開２００９−２４４２６２号公報
【非特許文献】
【０００６】
【非特許文献１】Hideki Fukano et al, "Sensitivity improvement of optical-fiber temperature sensor with solid cladding material based on multimode interference", JJAP 54, 032502 (2015).
【非特許文献２】Hideki Fukano et al, "High-sensitivity fiber-optic refractive index sensor based on multimode interference using small-core single-mode fiber for biosensing", JJAP 53, 04EL08 (2014).
【発明の概要】
【発明が解決しようとする課題】
【０００７】
本発明は、このような従来の実情に鑑みて考案されたものであり、被測定対象物が、水素を含有する気体に限定されず、多用な気体をセンシングすることが可能な光ファイバ装置を提供することを目的とする。
【課題を解決するための手段】
【０００８】
本発明の請求項１に記載の光ファイバ装置は、導波体からなる光ファイバ形状のセンサ部と、前記センサ部の一端および他端と光学的に各々接続され、該センサ部の一端側および他端側に配された、コアとクラッドから構成される光ファイバＡおよび光ファイバＢと、を含む光ファイバ装置であって、前記センサ部を構成する導波体が、前記光ファイバＡおよび前記光ファイバＢのコアと同材質からなり、前記センサ部の径方向の寸法が、前記光ファイバＡのコアの寸法および前記光ファイバＢのコアの寸法よりも大きく、前記センサ部は、少なくとも外側面が、その全域に亘って吸着材により被覆されている、ことを特徴とする。
【０００９】
本発明の請求項２に記載の光ファイバ装置は、請求項１において、前記吸着材が、毛細管凝縮を促す多孔質体であることを特徴とする。
本発明の請求項３に記載の光ファイバ装置は、請求項１又は２において、前記吸着材が、シリカゲルから形成された被膜であることを特徴とする。
本発明の請求項４に記載の光ファイバ装置は、請求項１乃至３のいずれか一項において、前記吸着材が、特定の波長の光に対して、光吸収作用を有することを特徴とする。
本発明の請求項５に記載の光ファイバ装置は、請求項１乃至４のいずれか一項において、前記吸着材が、前記センサ部とともに、前記光ファイバＡおよび前記光ファイバＢの外側面も被覆していることを特徴とする。
【００１０】
本発明の請求項６に記載の光ファイバ装置は、請求項１乃至５のいずれか一項において、前記センサ部の一端に向けてレーザ光を導入するために前記光ファイバＡにレーザ光を入射させる発光手段と、前記センサ部の他端から前記光ファイバＢを通して導出されたレーザ光を検知する受光手段と、前記受光手段から出力された信号を解析する評価手段と、を更に備えたことを特徴とする。
本発明の請求項７に記載の光ファイバ装置は、請求項６において、前記評価手段が、前記センサ部の周囲が外部物質に曝された場合、前記受光手段から出力された信号である透過スペクトルの特定波長において、長波長側へのスペクトルシフト現象を瞬間的に観測するとともに、前記センサ部の周囲から外部物質が減少するにつれて、スペクトルの回復現象を観測することにより、外部物質の検知を行うことを特徴とする。
【００１１】
本発明の請求項８に記載の光ファイバ装置は、請求項１乃至７のいずれか一項において、前記センサ部が、前記光ファイバＡ側から前記光ファイバＢ側に向けて、径方向の寸法を漸次拡大または漸次縮小させたテーパ状をなすように構成されていることを特徴とする。
本発明の請求項９に記載の光ファイバ装置は、請求項１乃至７のいずれか一項において、前記センサ部が、前記光ファイバＡ側の端部の外周形状を前記光ファイバＡの端部の外周形状と一致させるとともに、前記光ファイバＢ側の端部の外周形状を前記光ファイバＢの端部の外周形状と一致させるように構成されていることを特徴とする。
本発明の請求項１０に記載の光ファイバ装置は、請求項１乃至７のいずれか一項において、前記センサ部が、前記光ファイバＡ側の端部における径方向の寸法を、前記光ファイバＡの径寸法よりも大きくまたは小さく構成されていることを特徴とする。
本発明の請求項１１に記載の光ファイバ装置は、請求項１乃至７のいずれか一項において、前記センサ部が、前記光ファイバＢ側の端部における径方向の寸法を、前記光ファイバＢの径寸法よりも大きくまたは小さく構成されていることを特徴とする。
【発明の効果】
【００１２】
本発明の光ファイバ装置では、導波体からなる光ファイバ形状のセンサ部が、その一端および他端において、コアとクラッドから構成される光ファイバＡおよび光ファイバＢと光学的に各々接続されており、前記センサ部を構成する導波体が、前記光ファイバＡおよび前記光ファイバＢのコアと同材質からなる。ゆえに、導波体とその両端に接続された各光ファイバのコアとの間で、屈折率差がないため、すべての光は、２つの界面（光ファイバＡのコアとセンサ部との界面、センサ部と光ファイバＢのコアとの界面）においてリークすることなく、コア内に閉じ込められる（第一の作用）。
【００１３】
これに加えて、前記センサ部の径方向の寸法が前記光ファイバＡのコアの寸法よりも大きくなるように構成されているので、光ファイバＡからセンサ部に入射した光は強い回折が生じる。また、前記センサ部の径方向の寸法が前記光ファイバＢのコアの寸法よりも大きくなるように構成されているので、センサ部に生じた回折光が、出射側の光ファイバＢのコア領域で干渉により集光され、センサ部から光ファイバＢへ高効率で光伝搬される（第二の作用）。
【００１４】
さらに、本発明の光ファイバ装置では、前記センサ部は、少なくとも外側面が、その全域に亘って吸着材により被覆されている。これにより、吸着材は外部物質を吸着し、吸着材からなる部位の屈折率が変化する構成となっている。
上述した回折光は、いくつかのモードで伝搬する。ただし、全反射時に、グースヘンシェンシフトと呼ばれる光の位相の変化が起こる。センサ部をなす導波体の中央部を進む光は、全反射の影響を受けないが、回折による回り込みの大きなモードの光（外部物質を吸着した吸着材の影響を受けた光）は、全反射を繰り返し，中央部を進む光に対し，全反射を繰り返した分だけ，位相が変化して，出力側ファイバ部に到達する。出力側ファイバのコア位置で、各モードの光の位相が丁度揃う波長の光を入射側ファイバＡより入射すれば、ほぼ損失なく、光が出力側ファイバＢより取り出される。このとき、外部物質を吸着した吸着材の屈折率変化によって、このシフト量が変化する（第三の作用）。
【００１５】
このような３つの作用を備えることにより、本発明に係る光ファイバ装置は、位相が丁度揃う光の波長が異なってくるため、この波長の違いを検出することにより、外部物質の量を高感度に測定できるという効果を奏する。
したがって、本発明は、被測定対象物が、水素を含有する気体に限定されず、多用な気体をセンシングすることが可能な光ファイバ装置の提供に貢献する。
【図面の簡単な説明】
【００１６】
【図１】本発明に係る光ファイバ装置の一構成例を示す模式図。
【図２】光ファイバ装置への入射光波長に対する透過光量の関係を示すグラフ。
【図３】水蒸気によるスペクトルの波長変化と時間の関係を示すグラフ。
【図４】ガソリン蒸気によるスペクトルの波長変化と時間の関係を示すグラフ。
【図５】本発明に係る光ファイバ装置の他の構成例を示す模式図。
【図６】本発明に係る光ファイバ装置の他の構成例を示す模式図。
【図７】本発明に係る光ファイバ装置の他の構成例を示す模式図。
【図８】本発明に係る光ファイバ装置の他の構成例を示す模式図。
【図９】本発明に係る光ファイバ装置の他の構成例を示す模式図。
【発明を実施するための形態】
【００１７】
以下では、本発明に係る光ファイバ装置の一実施形態について図面に基づいて説明する。
【００１８】
図１は、本発明に係る光ファイバ装置の一構成例を示す模式図である。
図１（ａ）に示すように、光ファイバ装置１０は、光ファイバＡ１１と、導波体からなる光ファイバ形状のセンサ部１２と、光ファイバＢ１３とを含み、コア１１ａとクラッド１１ｂから構成される光ファイバＡ１１は、前記センサ部１２の一端（第一端部）と光学的に接続されており、コア１３ａとクラッド１３ｂから構成される光ファイバＢ１３は、前記センサ部１２の他端（第二端部）と光学的に接続されている。ここで、「光学的に接続」とは、光ファイバＡ１１のコア１１ａ、センサ部１２、及び、光ファイバＢ１３のコア１３ａにおける中心軸が、１本の光軸をなすように配置されることを意味する。「光学的に接続」は、具体的には、光ファイバ融着接続機を用いて、融着する（熱処理などを行い接続する）ことにより実現される。
【００１９】
上記構成の光ファイバ装置１０においては、センサ部１２を構成する導波体が、光ファイバＡ１１および光ファイバＢ１３のコアと同材質からなる。これにより、導波体からなるセンサ部１２と、その両端（第一端部、第二端部）に接続された各光ファイバ（光ファイバＡ、Ｂ）のコアとの間で、屈折率差が無くなる。ゆえに、すべての光は、２つの界面［光ファイバＡ１１のコア１１ａとセンサ部１２との界面（位置α２）、センサ部１２と光ファイバＢ１３のコア１３ａとの界面（位置β１）］においてリークすることなく、センサ部１２を構成する導波体内に閉じ込められる。図１（ａ）において、符号α１は、光ファイバＡ１１へ光が入射される端部の位置を、符号β２は、光ファイバＢ１３から光が出射される端部の位置を、それぞれ表わしている。
【００２０】
図１（ａ）に示すように、センサ部１２の径方向の寸法が、光ファイバＡ１１のコア１１ａの寸法および光ファイバＢ１３のコア１３ａの寸法よりも大きく構成されている。この構成により、センサ部１２に生じた回折光Ｌが、出射側の光ファイバＢ１３のコア１３ａの領域で干渉により集光され、センサ部１２から光ファイバＢ１３へ高効率で光伝搬される。
【００２１】
本発明の光ファイバ装置１０においては、センサ部１２は、少なくとも外側面１２ｓが、その全域ＭＬに亘って、厚さＤの吸着材１４により被覆されている。その際、吸着材１４の両端は一部、センサ部１２の外側面１２から光ファイバＡ１１のクラッド１１ｂや光ファイバＢ１３のクラッド１３ｂの外側面に、はみ出した部分を有してもよい。このはみ出した部分も含めた領域が、符号ＦＬ１である。これにより、吸着材１４は外部物質（不図示）を吸着し、吸着材１４からなる部位の屈折率が変化する構成となっている。吸着材１４を設ける領域は、センサ部１２の外側面１２ｓを覆う全域ＭＬに限定されるものではなく、光ファイバＡ１１のクラッド１１ｂや光ファイバＢ１３のクラッド１３ｂの外側面まで覆う構成（符号ＦＬ２にて示す領域まで覆う構成）としてもよい。これにより、光ファイバＡ１１とセンサ部１２と光ファイバＢ１３の外側面が、吸着材１４により一体として保護された構造が得られ、長期安定性の面から、より好ましい。
【００２２】
上述したセンサ部１２に生じた回折光Ｌは、いくつかのモードで伝搬する。ただし、全反射時に、グースヘンシェンシフトと呼ばれる光の位相の変化が起こる。
図１（ｂ）は、図１（ａ）において、符号Ｅで示す領域（二点鎖線で囲む領域）の拡大模式図である。
グースヘンシェンシフトとは、図１（ｂ）に示すように、屈折率ｎ１の物質Ａ中の光Ｌが、屈折率ｎ１の物質Ａと屈折率ｎ２の物質Ｂとの境界面Ｐ１（１２ｓに相当）で全反射する場合に位相遅れが生じて、境界面よりも屈折率ｎ２の物質Ｂ側の仮想反射面Ｐ２で反射しているかのように、少し遅れてから反射する状態となることである（非特許文献１参照）。ここで、屈折率ｎ２の物質Ｂ側に染み出しているのは、光Ｌの伝搬にともなう電磁界であって、この電磁界によってエバネッセント波が生じている。図１（ｂ）における物質Ｂは、上述した吸着材１４に相当する。図１（ｂ）において、符号Ｄは吸着材１４の厚さであり、符号ｄは境界面Ｐ１と仮想反射面Ｐ２の差分を表わしている。
【００２３】
図１（ａ）に戻り、回折光Ｌについて説明する。回折光Ｌのうち、センサ部１２をなす導波体の中央部を進む光（細い実線）は、全反射の影響を受けない。一方、回折による回り込みの大きなモードの光（太い実線ｏｒ点線：外部物質を吸着した吸着材の影響を受けた光）は、全反射を繰り返す。そのため、回折による回り込みの大きなモードの光は、中央部を進む光に対して、全反射を繰り返した分だけ、位相が変化して、出力側の光ファイバＢ１３に到達する。出力側の光ファイバＢ１３のコア１３ａの位置で、各モードの光の位相が丁度揃う波長の光を入射側のファイバＡ１１より入射すれば、ほぼ損失なく、光が出力側の光ファイバＢ１３より取り出される。このとき、外部物質を吸着した吸着材１４の屈折率変化によって、このシフト量が変化する現象を、本発明の光ファイバ装置１０は利用する。
【００２４】
ゆえに、外部物質の屈折率によって、位相が丁度揃う波長が異なってくるため、この波長の違いを検出することにより、光ファイバ装置１０は外部物質の量を高感度に測定できる。よって、本発明に係る光ファイバ装置は、被測定対象物が、水素を含有する気体に限定されず、多用な気体をセンシングすることが可能となる。
【００２５】
本発明の光ファイバ装置１０は、外部物質を吸着した吸着材１４の屈折率変化が大きいほど、感度が向上する。このためには、吸着材１４は、毛細管凝縮を可能とするような被膜によって構成することが好ましい。毛細管凝縮では、極めて狭い領域に外部物質が閉じ込められ、密度の凝縮が生じるために、本発明の光ファイバ装置１０においても、密度に比例する屈折率の変化が大きくなる。
【００２６】
また、本発明の光ファイバ装置１０では、外部物質の検出を繰り返し行うことを可能とするために、吸着材１４自体が、特定の波長の光に光吸収作用を有する部材からなる構成が好ましい。この特定の波長を含む光を入射光として用いることにより、光吸収により発熱を誘導し、外部物質を脱離させることができる。このような特定の波長の光に対して、吸着材に光吸収作用を持たせるためには、吸着材自体の分子構造を特定の波長で吸収作用を有するものとする手法や、特定の波長に吸収を作り出す不純物などを吸着材に含有させる手法が好適に用いられる。
【００２７】
図２は、本発明に係る光ファイバ装置への入射光波長に対する透過光量の関係を示すグラフである。吸着材１４として、シリカゲル薄膜を用い、光ファイバ装置１０を空気中に置いて、入射光波長に対する透過光量を測定した結果である（図２の実線）。その際、入出力部分の光ファイバＡ１１と光ファイバＢ１３は、共通のサイズ（コア径：８．２μｍ、クラッド径：１２５μ）であり、センサ部１２をなす導波体のサイズは、外径１２５μｍ、長さ：５７．７ｍｍとした。ゆえに、センサ部１２をなす導波体の外側面に配置される、吸着材１４が均一に覆う長さＭＬは、５７．７ｍｍ以上とした。
【００２８】
図２（ａ）のグラフから、ある特定の波長（λ１、λ２）において、上述した位相条件が満足され、透過スペクトルに、透過光量が大きな状態（凸部：λ１）や、逆位相において透過光量が減少している状態（凹部：λ２）が観測された。
これに対して、この光ファイバ装置をガラス管内に配置し、その中に約５秒間、水蒸気を投入すると、全反射光の位相状態が変化し、透過スペクトルがシフトすることが分かった。図２（ｂ）は、図２（ａ）におけるλ２付近の透過スペクトルを拡大して示すグラフである。図２（ｂ）において、実線が水蒸気を投入する前、点線が水蒸気を投入した後、を各々表わしている。図２（ｂ）から、水蒸気を投入することにより、特定の凹部を示す波長λ２が、λ２１（１５２３．８ｎｍ付近）からλ２２（１５２４．１ｎｍ付近）に、シフトすることが分かる。
【００２９】
＜実験例１＞
図３は、水蒸気によるスペクトルの波長変化と時間の関係を示すグラフである。図３において、縦軸は上記透過スペクトルがシフトした際の凹部を示した波長λ２であり、横軸は時間である。水蒸気の投入（太い矢印が投入時を表す）により、シリカゲルが水蒸気を吸着し、毛細管凝縮を起こし、吸着材の屈折率が大きくなり、波長λ２が瞬時に長波長側へのスペクトルシフト（波長［ｎｍ］が「１５２３．７付近→１５２４．０５〜１５２４．１０付近」に変化する現象）することが、図３から分かった。約５秒間の水蒸気投入が終了すると、波長λ２は直ちに逆方向へスペクトルシフトを開始し、最終的には元のベースラインである、波長［ｎｍ］１５２３．７付近に戻ることも分かった。さらに、水蒸気の投入を繰り返した場合、上述したスペクトルシフトの可逆が再現されることも判明した。
【００３０】
以上の実験結果より、本発明に係る光ファイバ装置１０は、高感度なセンサとして有効であることが確認された。なお、図３の測定において、光ファイバＡ１１へ入射させる光の発光手段（投光器）Ｘとしては、波長１５２０ｎｍ〜１６２０ｎｍの範囲で強い光強度を有するＡＳＥ光源を用いた。また、光ファイバＢ１３から出射された光の受光手段（受光器）Ｙと、受光手段Ｙから出力された信号を解析する評価手段（解析器）Ｚとの機能を兼ね備えた、光スペクトルアナライザを用い、波長分解して、各波長における強度変化を解析した。
【００３１】
本実施形態において、吸着材１４として機能するシリカゲルからなる被膜は、ゾルゲル法を用いて、約１μｍの厚さとなるように、センサ部１２を構成する導波体の外側面上に形成された。シリカゲルは、ＯＨ基に起因する光吸収機能を備えている。このＯＨ基に起因する光吸収は、１５００ｎｍ付近前後において広い範囲で吸収があるため、ＡＳＥ光源の一部を光吸収することにより、熱が発生し、この熱成分によって、毛細管凝縮から逆過程が生じて、水蒸気の離脱が起きたと、発明者らは考えている。その結果、図３にて確認されるように、水分のない状態までスペクトルの回復が起き、凹部の波長λ２が、元の位置に戻っている。
【００３２】
通常、シリカゲルは水蒸気を吸着するが、吸着した水分は容易に離脱しない性質があるため、乾燥剤として利用されている。これに対して、本発明の光ファイバ装置１０において、シリカゲルからなる被膜（吸着材１４）に吸着された水分は、光による局所的、選択的な離脱が可能となっている。これにより、本発明の構造を備えた光ファイバ装置１０は、繰り返しの水蒸気測定が可能である。
【００３３】
本実施形態では、発光手段（投光器）Ｘとして、波長１５２０ｎｍ〜１６２０ｎｍの範囲で強い光強度を有するＡＳＥ光源のみを用いているが、計測に用いる光源とは別に、吸着材が備える光吸収特性において強い吸収を示す波長の光をさらに入射して、脱離を促進したり、時間的な制御を行ってもよい。
なお、図３はλ２の波長変化を示した図であるが、特定の波長、たとえば１５２２ｎｍのレーザ光を入射し、その強度変化を測定すれば、吸着から脱離に伴い、図３と同様に光強度が一旦増加し、また元に戻る特性が得られる。たとえば、１５２６ｎｍのレーザ光を入射すれば、吸着から離脱に伴い逆に光強度は一旦減少し、また元に戻る特性が得られる。これらは、繰り返し特性として、同様に利用できる。
【００３４】
本実施形態では、吸着材１４としてシリカゲルを用いた構成について説明したが、吸着材１４は、微細な孔を有する多孔質物質であれば良く、シリカゲルに限定されるものではない。吸着材１４としては、シリカゲルの他に、たとえば、活性炭、活性化アルミナ、モレキュラーシーブ炭素、モレキュラーシーブゼオライト、シリカライト、多孔性ポリマー、アルミナおよびそれらの混合物、等が挙げられる。このような吸着材を用いる場合は、各材料に応じて適宜、光による局所的、選択的脱離を可能とする分子構造や不純物、あるいは、最適な光波長を設計して用いることにより、同様に利用できる。
【００３５】
なお、センサ部１２の長さを変えることにより出力側ファイバのコア位置での光の位相が変化するので、各モードの光の位相が丁度揃う波長も合わせて変化する（非特許文献２参照）。このため、センサ部の長さを変えることにより、センシング波長として任意の波長の光を設定することが可能である。その際、入射側の光ファイバＡ１１のコア径と出射側の光ファイバＢ１３のコア径も、センサ部１２をなす導波体のサイズ（外径）より、十分小さいことが干渉の幅を狭めるために重要である。
【００３６】
本実施形態では、入射側の光ファイバＡ１１と出射側の光ファイバＢ１３が、同じサイズのクラッドを有する構成例にて説明したが、クラッドサイズが同じではなく、異なるサイズのものであっても、同様の特性が得られる。
図５〜図９は、本発明に係る光ファイバ装置の他の構成例を示す模式図であり、何れの構成例も、クラッドサイズが異なる場合を示している。
【００３７】
図５と図６は、センサ部を構成する導波体の外周形状が、入射側の光ファイバＡの外周形状および出射側の光ファイバＢの外周形状と一致する構成例である。図５は、導波体の外周形状が入射側から出射側に向けて次第に太くなる場合であり、図６は逆に、導波体の外周形状が入射側から出射側に向けて次第に細くなる場合である。
図５と図６において、５０、６０は光ファイバ装置、５１、６１は入射側の光ファイバ、５２、６２はセンサ部、５３、６３は出射側の光ファイバＢ、を表わしている。５１ａ、６１ａはコアを、５１ｂ、６１ｂはクラッドである。
このように、導波体の外周形状を、前後に配置される２つの光ファイバの外周形状と一致させて連続的にすることにより、融着接続機による接続作業を確実に行うことができる。また、この連続的な接続は、センサ部１２を構成する導波体の外側面に、吸着材１４の被膜を形成する際に、被膜の均一な厚さを実現することにも効果がある。
【００３８】
図７と図８は、センサ部を構成する導波体の外周形状が、入射側の光ファイバＡの外周形状および出射側の光ファイバＢの外周形状と異なる構成例である。図７は、導波体の外周形状が入射側および出射側の各光ファイバより太く場合であり、図８は逆に、導波体の外周形状が入射側および出射側の各光ファイバより細い場合である。
図９は、センサ部を構成する導波体の外周形状が、入射側の光ファイバＡの外周形状および出射側の光ファイバＢの外周形状と異なる構成例の変形体であり、導波体の外周形状が入射側から出射側に向けて次第に細くなる場合である。
図７、図８、図９において、７０、８０、９０は光ファイバ装置、７１、８１、９１は入射側の光ファイバ、７２、８２、９２はセンサ部、７３、８３、９３は出射側の光ファイバＢ、を表わしている。７１ａ、８１ａ、９１ａはコアであり、７１ｂ、８１ｂ、９１ｂはクラッドである。
このように、導波体の外周形状を、前後に配置される２つの光ファイバの外周形状より太くしても、また逆に細くしても、上述した本発明の作用・効果は得られる。
【００３９】
本実施形態では、センサ部を構成する導波体の断面形状が、円形を相当して説明したが、センサ部の断面形状は、円形に限定するものでない。たとえば、センサ部の断面形状を楕円形状とした場合には、出力側の光ファイバＢのコア位置で、各モードの光の位相が丁度揃う光の条件が、楕円の長軸方向と短軸方向で、異なってくる。そのため、干渉幅が狭まることになり、波長のピーク検出が容易になる特徴を備えることができる。同様に，センサ部の断面が、四角形や六角形など、円形以外の対称性の良い形状であれば、上述した楕円形状と同様の効果が得られる。
【００４０】
＜実験例２＞
図４は、ガソリン蒸気によるスペクトルの波長変化と時間の関係を示すグラフである。図４において、縦軸は上記透過スペクトルがシフトした際の凹部を示した波長λ２であり、横軸は時間である。ガソリン蒸気の投入（太い矢印が投入時を表す）により、シリカゲルがガソリン蒸気を吸着し、毛細管凝縮を起こし、吸着材の屈折率が大きくなり、波長λ２が瞬時に長波長側へのスペクトルシフト（波長［ｎｍ］が「１５２３．９付近→１５２４．２５付近」に変化する現象）することが、図４から分かった。約５秒間のガソリン蒸気投入が終了すると、波長λ２は直ちに逆方向へスペクトルシフトを開始し、最終的には元のベースラインである、波長［ｎｍ］１５２３．９付近に戻ることも分かった。さらに、ガソリン蒸気の投入を繰り返した場合、上述したスペクトルシフトの可逆が再現されることも判明した。
【００４１】
図４の結果から、ガソリン蒸気の場合も、図３に示した水蒸気と同様に、ガソリン蒸気のない状態（ベース状態）まで、スペクトルの回復が起きている。ゆえに、シリカゲルはガソリン蒸気を吸着しているが、本発明の構成では，光による局所的，選択的脱離が可能となっている。ただし、ガソリン蒸気の場合（図４）は，水蒸気の場合（図３）に比べて、初期状態（ベース状態）まで回復するのに、より多くの時間を必要としている。図４の回復状況から、ガソリン蒸気は、水蒸気に比べて、脱離に時間を要する被測定対象物であることが確認された。
【００４２】
ガソリン自体の光吸光特性が不明なため、ガソリン自体の吸光による温度上昇の有無は不明である。しかしながら、本発明によれば、ガソリン蒸気の場合でも、光による局所的，選択的脱離が可能である。この結果より，本発明の光ファイバ装置では、繰り返しのガソリン蒸気についても、測定が可能であることが明らかとなった。
【００４３】
本実験例では、被測定対象物としてガソリン蒸気を用いた場合について説明したが、ガソリン以外の軽油や、エタノールなどの各種アルコール類など、揮発性のあるガスにおいても、本発明の光ファイバ装置は同様にセンシングが可能である。ゆえに、本発明の光ファイバ装置は、内燃機関の排ガスなどの検出にも応用することができる。
【００４４】
以上、本発明の光ファイバ装置について説明してきたが、本発明はこれに限定されるものではなく、発明の趣旨を逸脱しない範囲で、適宜変更が可能である。
【産業上の利用可能性】
【００４５】
本発明は、被測定対象物が、水素を含有する気体に限定されず、多用な気体をセンシングすることが可能な光ファイバ装置に広く適用可能である。
【符号の説明】
【００４６】
Ｘ  発光手段（投光器）、Ｙ  受光手段（受光器）、Ｚ  評価手段（解析器）、１０  光ファイバ装置、１１  入射側の光ファイバＡ、１２  センサ部、１３  出射側の光ファイバＢ、１４  吸着材。
【図１】
2017020946.tif 000003
【図２】
2017020946.tif 000004
【図３】
2017020946.tif 000005
【図４】
2017020946.tif 000006
【図５】
2017020946.tif 000007
【図６】
2017020946.tif 000008
【図７】
2017020946.tif 000009
【図８】
2017020946.tif 000010
【図９】
2017020946.tif 000011